(57)【要約】【課題】画素数の異なる複数の液晶セルに対応可能な液晶ドライバを提供することである。【解決手段】液晶ドライバ８は、液晶セル２の画素領域よりも大きな画像データが入力される場合、画像データのうち、前記液晶セルの画素領域からはみ出す部分のデータを破棄して残りのデータを出力し、液晶セル２の画素領域と同じ大きさの画像データが入力される場合、全てのデータを出力する構成とする。例えば、液晶セル２の画素領域が横４８０画素×縦２３４画素であり、入力される画像データが横４８０画素×縦２４０画素である場合、１画像データ当たり、最初の３ライン分の水平同期信号及び最後の３ライン分の水平同期信号を破棄する。【選択図】図２
2008304496.tif 000002
【特許請求の範囲】
【請求項１】
液晶セルの液晶を駆動させる液晶ドライバにおいて、
前記液晶セルの画素領域よりも大きな画像データが入力される場合、前記画像データのうち、前記液晶セルの画素領域からはみ出す部分のデータを破棄して残りのデータを出力し、
前記液晶セルの画素領域と同じ大きさの画像データが入力される場合、全てのデータを出力することを特徴とする液晶ドライバ。
【請求項２】
前記破棄するデータは、液晶セルの画素領域と入力された画像データとを上下左右の中心が一致するように重ねたときに前記画素領域からはみ出す部分のデータであることを特徴とする請求項１記載の液晶ドライバ。
【請求項３】
入力される前記画像データが、前記液晶セルの画素領域の横方向に同じで縦方向に大きい場合、
前記画素領域からはみ出す部分の画像データに対応する水平同期信号を破棄することを特徴とする請求項２記載の液晶ドライバ。
【請求項４】
前記液晶セルの画素領域が横４８０画素×縦２３４画素であり、入力される画像データが横４８０画素×縦２４０画素である場合、
１画像データ当たり、最初の３ライン分の水平同期信号及び最後の３ライン分の水平同期信号を破棄することを特徴とする請求項３記載の液晶ドライバ。
【請求項５】
請求項１〜４の何れかに記載の液晶ドライバを備えたことを特徴とする液晶表示装置。
【請求項６】
破棄される可能性のあるデータは、予め背景データとされていることを特徴とする請求項５記載の液晶表示装置。
【発明の詳細な説明】
【技術分野】
【０００１】
本発明は、液晶セルの液晶を駆動させる液晶ドライバと、それを備えた液晶表示装置に関する。
【背景技術】
【０００２】
液晶表示装置の液晶セルは様々なサイズのものが生産されており、その画素数も様々である。したがって、あるサイズの画像を様々な画素数の液晶表示装置に表示させる場合、画像が切れたり端に寄ったりするため、表示方法に工夫が必要となる。
【０００３】
例えば特許文献１の同期タイミング回路は、第２の複合映像信号の第２の垂直同期信号に予め定めた第１の遅延時間を与える第１の遅延手段と、第２の水平同期信号に予め定めた第２の遅延時間を与える第２の遅延手段とを備え、比較的小規模の回路により複数の規格の複合映像信号を１つの液晶表示パネルに中心を揃えて表示できるようにしている。
【０００４】
また特許文献２には、等倍センタリング表示時に、画面中央に対して表示する画素数を左右同じにした液晶表示装置が開示されている。
【０００５】
また特許文献３には、液晶表示パネルの１表示ラインの画素数に対して、本体コンピュータ側から送信される表示データ数が不足する場合に、当該不足分に比例したタイミングで制御信号を生成できる液晶表示装置が開示されている。
【特許文献１】特許２６９９８４６号公報
【特許文献２】特許３８６９７７７号公報
【特許文献３】特許３４８１７９４号公報
【発明の開示】
【発明が解決しようとする課題】
【０００６】
特許文献１〜３は液晶セルにそれよりも小さい画像が入力された場合に液晶セルの中心に揃えて表示させるものである。つまり、１つの液晶表示装置に様々なサイズの画像を表示させるものである。したがって、これらの液晶表示装置の駆動を制御する液晶ドライバは、それぞれの液晶セルの画素数を考慮して個別に設計されたものである。裏を返せば、画素数の異なる複数の液晶セルに１種の液晶ドライバで対応可能にするものではない。
【０００７】
ところで、液晶表示装置を製造するメーカでは、コスト削減を図るために、液晶セルの購入先をより安い価格で仕入れられるメーカに切り替えたり、市場への供給数を増大及び確保するために、複数のメーカから液晶セルを購入したりすることがある。しかし、液晶セルの製造メーカの違いによって同等の大きさでも若干画素数が異なることがある。このような異なる画素数の液晶セルを複数メーカから仕入れて同製品の液晶表示装置を組み立てる場合に部品を共通化できなければコストアップに繋がる。液晶ドライバも例外ではなく、液晶セルごとに個別に設計された液晶ドライバを用いればコストアップとなる。
【０００８】
そこで本発明は、画素数の異なる複数の液晶セルに対応可能な液晶ドライバを提供することを目的とする。また、この液晶ドライバを搭載した液晶表示装置を提供することも目的とする。
【課題を解決するための手段】
【０００９】
上記目的を達成するために本発明は、液晶セルの液晶を駆動させる液晶ドライバにおいて、前記液晶セルの画素領域よりも大きな画像データが入力される場合、前記画像データのうち、前記液晶セルの画素領域からはみ出す部分のデータを破棄して残りのデータを出力し、前記液晶セルの画素領域と同じ大きさの画像データが入力される場合、全てのデータを出力することを特徴とする。
【００１０】
この液晶ドライバによると、画素数の異なる複数の液晶セルに対応可能である。その際、入力する画像データはそれぞれの液晶セルに応じて変更する必要はない。
【００１１】
上記の液晶ドライバにおいて、前記破棄するデータは、液晶セルの画素領域と入力された画像データとを上下左右の中心が一致するように重ねたときに前記画素領域からはみ出す部分のデータであることが望ましい。入力する画像データを設計する際に文字などの情報を中央に寄せておき見やすく自然な画像にするためである。
【００１２】
また上記の液晶ドライバにおいて、入力される前記画像データが、前記液晶セルの画素領域の横方向に同じで縦方向に大きい場合、前記画素領域からはみ出す部分の画像データに対応する水平同期信号を破棄することにより、適切な大きさの画像を表示することができる。
【００１３】
また上記の液晶ドライバを具体化すると、前記液晶セルの画素領域が横４８０画素×縦２３４画素であり、入力される画像データが横４８０画素×縦２４０画素である場合、１画像データ当たり、最初の３ライン分の水平同期信号及び最後の３ライン分の水平同期信号を破棄する構成となる。
【００１４】
また、本発明の液晶表示装置は、上記の液晶ドライバを備えたことを特徴とする。
【００１５】
上記の液晶表示装置において、破棄される可能性のあるデータは、予め背景データとされていることが望ましい。これにより、液晶セルに収まらない背景データは破棄されるが、文字などの情報は確実に表示される。
【発明の効果】
【００１６】
本発明によれば、１種の液晶ドライバで画素数の異なる複数の液晶セルに対応可能であり、その際、液晶ドライバに入力する画像データはそれぞれの液晶セルに応じて変更する必要はない。したがって、コスト削減を図るために、液晶セルの購入先をより安い価格で仕入れられるメーカに切り替えたり、市場への供給数を増大及び確保するために、複数のメーカから液晶セルを購入したりする場合に、液晶セルの製造メーカの違いによって若干画素数が異なることがあっても、液晶ドライバを共通化することができ、画像データも共通化できるので、コストを削減することができる。
【発明を実施するための最良の形態】
【００１７】
本発明の液晶表示装置は、小型の表示部（液晶セル）を備え、プリンタやデジタルカメラ等の電子機器に搭載される。図１は、本発明の液晶表示装置の分解斜視図である。液晶表示装置１０は、ベゼル１と、液晶セル２と、プリズムシート３と、拡散板４と、導光板５と、バックライト６と、反射板７と、液晶ドライバ８とを備えている。
【００１８】
液晶表示装置１０は透過型の液晶表示装置であり、バックライト６から照射される光が液晶セル２を透過するときに分光されることで、表示を行うものである。バックライト６は図１に示すように棒状のランプである。液晶表示装置１０の背面には、バックライト６より入射面に照射された光を液晶セル２に向けて反射する反射板７が取り付けられている。
【００１９】
また、バックライト６に隣り合うように導光板５が配置されている。導光板５は点光源（線状の光源）であるバックライト６からの光を導光板５の大きさの面光源の光に切り替えるものである。導光板５の隣には拡散板４が配置されている。拡散板４は導光板５から照射される面光源の光を均一な強度の光に偏光するものである。
【００２０】
拡散板４の隣にはプリズムシート３が配置されている。プリズムシート３は拡散板４から出射してきた光を、拡散板４の反対側に集光するものである。プリズムシート３の隣には液晶セル２が配置されており、プリズムシート３にて集光された光は液晶セル２の入射面２１に入射する。
【００２１】
液晶セル２は２枚のガラスを貼り合わせて内部に液晶層を注入したものである。液晶セル２の入射面２１及び液晶表示部２２には透過する光の振動方向を制限する偏光フィルム２３、２４が貼り付けられている。光は液晶セル２にてＲ、Ｇ、Ｂの波長の光に分光されることで液晶表示部２２に画像を表示する。
【００２２】
液晶セル２と隣り合うようにベゼル１が配置される。ベゼル１は一面が開いた箱状の形状を有しており、液晶セル２の液晶表示部２２が外部に面することができるように開口を備えている。液晶セル２は入射面２１に対して液晶表示部２２が小さく形成されており段差２０が形成されている。この段差２０に液晶ドライバ８がＣＯＧ（Chip On Glass）で搭載されている。液晶ドライバ８は、液晶セル２に電圧を供給して液晶を駆動させるものであり、詳細については後述する。
【００２３】
また、液晶表示装置１０は、画素数が若干異なる複数の液晶セルの何れかを搭載可能としている。その際、何れの液晶セルを搭載した場合でも液晶ドライバ８は１種で対応可能としている。何れの液晶セルが搭載されているかは、例えば２種のうちどちらが搭載されているかを区別する場合は、所定の端子をそれぞれの液晶セルの区別のために割り当て、一方の液晶セルが搭載された場合はその端子を３．３Ｖ側に接続し、他方の液晶セルが搭載された場合はその端子をＧＮＤ側に接続することによって得られるＨ又はＬ信号によって区別することができる。
【００２４】
次に、液晶表示装置１０の回路構成について説明する。図２は、液晶表示装置１０の回路構成を示すブロック図である。液晶表示装置１０は、液晶セル２と、液晶ドライバ８と、液晶用回路１１と、メイン回路１２とを備えている。
【００２５】
液晶セル２は、水平方向に沿って複数配置されるスキャンラインと、垂直方向に沿って複数配置されるデータラインと、スキャンラインにゲートが接続されるとともに、ソース又はドレインにデータラインが接続されるＴＦＴ（不図示）とを有している。
【００２６】
液晶ドライバ８は、ソースドライバ１３とゲートドライバ１４とからなる。ソースドライバ１３は、液晶セル２の複数のデータラインに接続されており、データラインにデータ電圧（データ信号）を供給する。ゲートドライバ１４は、液晶セル２の複数のスキャンラインに接続されており、スキャンラインにスキャン電圧（ゲート電圧）を供給する。
【００２７】
液晶用回路１１は、タイミングコントローラ１５と、電源回路１６とを備えている。タイミングコントローラ１５は、メイン回路１２からの信号に基づいて水平同期信号及び垂直同期信号をそれぞれゲートドライバ１４及びソースドライバ１３に供給する。電源回路１６は、ゲートドライバ１４及びソースドライバ１３に必要な電圧を生成し、ゲートドライバ１４及びソースドライバ１３に出力する。
【００２８】
メイン回路１２は、プリンタやデジタルカメラ等の電子機器の動作全体を制御する制御回路である。メイン回路１２は、液晶用回路１１を制御して液晶セル２への表示を制御する。
【００２９】
次に、液晶表示装置１０の画像表示動作について説明する。メイン回路１２が出力する画像データは、搭載可能な液晶セルの中で最も大きな画素領域に合わせ、かつ、搭載可能な液晶セルの中で最も小さな画素領域に合わせて文字などの情報を収め、その外側の画素領域をブルーバックなどの背景として設計する。後述するように、背景データは表示する際に破棄される可能性のあるデータである。
【００３０】
そして、液晶セル２の画素領域とメイン回路１２から出力される画像データとが同じ大きさである場合、つまり搭載可能な最大の液晶セル２を搭載している場合、液晶ドライバ８は、通常通り入力された全てのデータを液晶セル２へ出力する。これにより、メイン回路１２から出力された画像データが全て表示され、文字などの情報の外側には背景が表示されることになる。
【００３１】
一方、液晶セル２の画素領域よりも大きな画像データがメイン回路１２から出力され液晶ドライバ８に入力される場合、つまり搭載可能な最大の液晶セルよりも小さな液晶セルを搭載している場合、液晶ドライバ８は、入力された画像データのうち、液晶セル２の画素領域からはみ出す部分のデータを破棄して残りのデータを液晶セル２へ出力する。これにより、液晶セル２に収まらない背景データは破棄されるが、文字などの情報は確実に表示される。
【００３２】
なお、破棄するデータは、液晶セル２の画素領域と入力された画像データとを上下左右の中心が一致するように重ねたときに画素領域からはみ出す部分のデータとすることが望ましい。メイン回路１２から出力される画像データを設計する際に文字などの情報を中央に寄せておき見やすく自然な画像にするためである。
【００３３】
具体的には、例えば、メイン回路１２から出力され液晶ドライバ８に入力される画像データが、液晶セル２の画素領域の横方向に同じで縦方向に大きい場合、画素領域からはみ出す部分の画像データに対応する水平同期信号を破棄すればよい。
【００３４】
また例えば、メイン回路１２から出力され液晶ドライバ８に入力される画像データが、液晶セル２の画素領域の縦方向に同じで横方向に大きい場合、画素領域からはみ出す部分の画像データに対応する画素分のデータを破棄すればよい。
【００３５】
次に、液晶表示装置１０の画像表示動作の実施例について説明する。本実施例では、画素領域が横４８０画素×縦２４０画素の第１の液晶セルと、画素領域が横４８０画素×縦２３４画素の第２の液晶セルとの何れかを搭載することができる液晶表示装置１０とし、何れかの液晶セルが搭載されているものとする。第１の液晶セルか第２の液晶セルのどちらが搭載されているかは、所定の端子を第１及び第２の液晶セルの区別のために割り当て、Ｈ又はＬ信号によって区別することができる。
【００３６】
図３は、メイン回路１２が出力する画像データを全て表示した場合の画像３０の模式図である。メイン回路１２が出力する画像データは、大きい方である第１の液晶セルの画素領域に合わせて横４８０画素×縦２４０画素とし、かつ、小さい方である第２の液晶セルの画素領域に合わせて縦２４０ラインのうち４〜２３７ライン（領域Ａ）、つまり横４８０画素×縦２３４画素に文字などの情報を収め、その両外側の１〜３ライン（領域Ｂ）及び２３８〜２４０ライン（領域Ｃ）をブルーバックなどの背景として設計する。
【００３７】
図４は、実施例の液晶表示装置１０の画像表示動作を示すフローチャートである。まず、ステップＳ１０においてメイン回路１２から液晶ドライバ８へ画像データが入力されると、ステップＳ１１へ進んで液晶ドライバ８は、予め判別された液晶セル２の種類にしたがってステップＳ１２又はステップＳ１３へ進む。
【００３８】
第１の液晶セルが搭載されている場合は、ステップＳ１２へ進んで液晶ドライバ８は、通常通り入力された全てのデータを第１の液晶セルへ出力する。これにより、メイン回路１２から出力された画像データは図３のように全て表示される。つまり文字などの情報を含む領域Ａの両外側には背景である領域Ｂ、Ｃが表示されることになる。
【００３９】
一方、第２の液晶セルが搭載されている場合は、ステップＳ１３へ進んで液晶ドライバ８は、入力された画像データのうち、第２の液晶セル２の画素領域からはみ出す部分のデータ（領域Ｂ、Ｃに相当）を破棄し、ステップＳ１４へ進んで残りのデータ（領域Ａに相当）を第２の液晶セルへ出力する。これには、破棄する画像データに対応する最初の３ライン分の水平同期信号及び最後の３ライン分の水平同期信号を破棄すればよい。これにより、第２の液晶セルに収まらない領域Ｂ、Ｃに相当する背景データは破棄されるが、領域Ａに含まれる文字などの情報は確実に表示される。つまり、領域Ａのみが表示されることになる。
【００４０】
このように、液晶ドライバ８は、第１及び第２の液晶セルのように、画素数の異なる複数の液晶セルに対応可能であり、その際、メイン回路１２が出力する画像データはそれぞれの液晶セルに応じて変更する必要はない。
【００４１】
したがって、コスト削減を図るために、液晶セルの購入先をより安い価格で仕入れられるメーカに切り替えたり、市場への供給数を増大及び確保するために、複数のメーカから液晶セルを購入したりする場合に、液晶セルの製造メーカの違いによって若干画素数が異なることがあっても、液晶ドライバを共通化することができ、メイン回路が出力する画像データも共通化できるので、コストを削減することができる。
【００４２】
なお、本発明においてベゼル１の開口を、搭載可能な液晶セルの中で最も小さな画素領域に合わせて設計しておけば、それより大きな画素領域をもつ液晶セルを搭載した場合には領域Ｂ、Ｃがベゼル１の額縁に隠れるのでブルーバックなどの背景を隠すことができる。
【産業上の利用可能性】
【００４３】
本発明の液晶表示装置は、小型のものであればプリンタやデジタルカメラ等の電子機器に、大型のものであればテレビやパーソナルコンピュータのディスプレイに利用することができる。
【図面の簡単な説明】
【００４４】
【図１】本発明の液晶表示装置の分解斜視図である。
【図２】本発明の液晶表示装置の回路構成を示すブロック図である。
【図３】メイン回路が出力する画像データを全て表示した場合の画像の模式図である。
【図４】実施例の液晶表示装置の画像表示動作を示すフローチャートである。
【符号の説明】
【００４５】
２    液晶セル
８    液晶ドライバ
１０    液晶表示装置
【図１】
2008304496.tif 000003
【図２】
2008304496.tif 000004
【図３】
2008304496.tif 000005
【図４】
2008304496.tif 000006